【事件の表示】
　特許第６０１２５６５号発明「光電気複合型コネクタ」の特許異議申立事件について、次のとおり決定する。
【結　論】
　特許第６０１２５６５号の明細書及び特許請求の範囲を訂正請求書に添付された訂正明細書及び訂正特許請求の範囲のとおり、訂正後の請求項〔１−３〕について訂正することを認める。
　特許第６０１２５６５号の請求項１ないし３に係る特許を維持する。
【理　由】
第１　手続の経緯  
　特許第６０１２５６５号の請求項１ないし３に係る特許についての出願は、平成２５年８月２９日の出願であって、平成２８年９月３０日にその特許権の設定登録がされ、その後、その請求項１ないし３に係る特許について、特許異議申立人小宮山一樹により特許異議の申立てがされたものである。 
　以後の手続の経緯は、以下のとおりである。  
  
　平成２９年　６月１３日：取消理由通知（６月１５日発送）  
　　　　同年　８月　４日：意見書（特許権者）  
　　　　同年　８月３０日：決定の予告（９月１日発送） 
　　　　同年１０月３１日：訂正請求書・意見書
　　　　同年１１月１３日：通知書（１１月１６日発送） 
　　　　同年１２月１５日：意見書（特許異議申立人）
　　 　 　 
第２　訂正の適否  
１　訂正の趣旨  
　平成２９年１０月３１日付けの訂正請求書（以下「本件訂正請求書」という。また、本件訂正請求書による訂正を、以下「本件訂正」という。）は、特許第６０１２５６５号の明細書及び特許請求の範囲を、本件訂正請求書に添付された訂正特許明細書及び訂正特許請求の範囲のとおり、訂正することを求めるものである。  
  
２　訂正の内容  
（１）訂正事項１（なお、下線は、当審で付した。） 
　特許請求の範囲の請求項１に「仕切部材」とあるのを、「
基板
　
（２）訂正事項２ 
　特許請求の範囲の請求項１に「前記光電気変換モジュールと電気的に接続され得る接続コネクタと、」とあるのを、
　「
前記光電気変換モジュールを着脱自在に嵌合させることができ且つ
（３）訂正事項３ 
　特許請求の範囲の請求項１に「……を備えることを特徴とする光電気複合型コネクタ。」とあるのを、
　「……を備え
、前記コネクタは、前記基板に固定されたレセプタクルハウジングと、前記基板に固定されたレセプタクルハウジングに設置され前記光電変換モジュールと前記接続コネクタが嵌合された際に前記光電変換モジュール側の対応端子と電気的に接続され得るレセプタクル端子を有す
　  　
（４）訂正事項４
　願書に添付した明細書の段落【０００７】に「本発明は、光ファイバを収容することができるハウジングを備えた光電気複合型コネクタであって、前記ハウジング内のスペースを上下に仕切る仕切部材を有し、前記光ファイバは、前記ハウジングの前後方向における一の側において前記ハウジング内に取り込まれるようになっており、前記仕切部材によって仕切られた前記ハウジング内の一のスペースに、前記ハウジングの前記一の側に位置する前記光ファイバの少なくとも一部が湾曲された状態で収容され、前記仕切部材によって仕切られた前記ハウジング内の他のスペースに、前記一のスペースに収容された少なくとも一部以外の前記光ファイバの湾曲部の一部であって、前記ハウジング内の一のスペースに収容された前記光ファイバの湾曲部に対して前記ハウジングの前記一の側とは前記ハウジングの前後方向において反対側に位置する前記光ファイバの他の少なくとも一部が収容されており、前記一のスペースに収容された、前記光ファイバの少なくとも一部と、前記他のスペースに収容された、前記光ファイバの他の少なくとも一部が、前記ハウジングの左右側の内壁と前記仕切部材の左右側の縁との間に形成された隙間を通じて連続しており、前記光電気複合型コネクタは更に、前記光ファイバの一端に接続された光電気変換モジュールと、前記仕切部材の前記他のスペース側であって前記ハウジングの前後方向において前記隙間に対応する位置に設けられた、前記光電気変換モジュールと電気的に接続され得る接続コネクタと、を備えることを特徴とする。
　この構成によれば、仕切部材を利用して、ハウジングの内部を一のスペースと他のスペースとに明確に区分し、配線設計と光ファイバの収容部分とを明確に区別することにより、配線設計を複雑にすることなく、光ファイバの余長部分を収容することができる。また、光電気変換モジュールと電気コネクタを介して、光ファイバと光電気複合型コネクタを接続することにより、それらを直に接続する場合に比べて、接続作業或いは組立作業を容易にすることができる。」とあるのを、
　「本発明は、光ファイバを収容することができるハウジングを備えた光電気複合型コネクタであって、前記ハウジング内のスペースを上下に仕切る
基板
基板
基板
基板
基板
前記光電気変換モジュールを着脱自在に嵌合させることができ且つ
、前記コネクタは、前記基板に固定されたレセプタクルハウジングと、前記基板に固定されたレセプタクルハウジングに設置され前記光電変換モジュールと前記接続コネクタが嵌合された際に前記光電変換モジュール側の対応端子と電気的に接続され得るレセプタクル端子を有す
　この構成によれば、
基板
　
（５）訂正事項５
　願書に添付した明細書の段落【０００８】に「上記光電気複合型コネクタにおいて、前記仕切部材は、前記光ファイバの前記湾曲部が形成する面と並列に前記ハウジング内のスペースを仕切るのが好ましい。」とあるのを、
　「上記光電気複合型コネクタにおいて、前記
基板
　
（６）訂正事項６
　願書に添付した明細書の段落【００１０】に「前記隙間は、前記仕切部材の仕切り方向において、前記光電気複合型コネクタと相手コネクタとの嵌合側以外の側に設けられているのが好ましい。」とあるのを、
　「前記隙間は、前記
基板
  
３　訂正の適否  
　訂正の目的の適否、新規事項の有無、特許請求の範囲の拡張・変更の存否、一群の請求項及び明細書の訂正　  
      　
（１）訂正事項１ 
　ア　訂正事項１は、訂正前の「仕切部材」を、具体的に「基板」に限定するものであるから、特許法第１２０条の５第２項ただし書き第１号に規定する「特許請求の範囲の減縮」を目的とするものである。  
 　　 
 　イ　また、願書に添付した明細書の【００１８】には「ハウジング２０内のスペースは、その内部に設置された基板５０によって、上段スペース３３と下段スペース３４に仕切られている。」と記載されているから、上記訂正事項１は、願書に添付した明細書に記載された事項の範囲内でするものであって、実質上特許請求の範囲を拡張し、又は変更するものでもないことから、特許法第１２０条の５第９項で準用する同法第１２６条第５項及び第６項の規定に適合する。　  
 　 
（２）訂正事項２ 
　ア　訂正事項２は、訂正前の「接続コネクタ」が、光電気変換モジュールとどのような状態で接続されるかを具体的に限定するものであるから、特許法第１２０条の５第２項ただし書き第１号に規定する「特許請求の範囲の減縮」を目的とするものである。　
　  　
　イ　また、願書に添付した明細書の【００２７】には「電気接続させるため、光電気変換モジュール１４は、接続コネクタ５４の凹状の嵌合部６４に嵌め込まれる。嵌合部６４に嵌め込まれても、固定されるわけではなく、その後も自由に着脱させることができる。」と記載されているから、上記訂正事項２は、願書に添付した明細書に記載された事項の範囲内でするものであり、実質上特許請求の範囲を拡張し、又は変更するものでもないことから、特許法第１２０条の５第９項で準用する同法第１２６条第５項及び第６項の規定に適合する。　   
 　 
（３）訂正事項３ 
　ア　訂正事項３は、訂正前の「接続コネクタ」が、レセプタクルハウジングとレセプタクル端子を有する構造であると限定するものであるから、特許法第１２０条の５第２項ただし書き第１号に規定する「特許請求の範囲の減縮」を目的とするものである。
　イ　また、願書に添付した明細書の【００２９】には「接続コネクタ５４は、主に、枠状のレセプタクルハウジング６１と、これに設置される複数の端子６２、更に、ハウジング６１の外部を覆うシェル６３を有する。レセプタクルハウジング６１は枠状に形成されており、光電気変換モジュール１４を嵌め込む嵌合部６４（図９参照）を形成している。レセプタクルハウジング６１に圧入固定されたレセプタクル端子６２は、各々、それらの一部において嵌合部６４に突出し、光電気変換モジュール１４が嵌合部６４に嵌め込まれた際に、光電気変換モジュール１４側の対応端子７４と電気的に接続され得る。」と記載されているから、上記訂正事項３は、願書に添付した明細書に記載された事項の範囲内でするものであり、実質上特許請求の範囲を拡張し、又は変更するものでもないことから、特許法第１２０条の５第９項で準用する同法第１２６条第５項及び第６項の規定に適合する。　  
 　　　 
（４）訂正事項４ 
　ア　訂正事項４は、訂正事項１ないし訂正事項３により訂正された特許請求の範囲の記載との整合を図るために、願書に添付した明細書の【０００７】の記載を訂正するものであるから、特許法第１２０条の５第２項ただし書き第３号に規定する「明瞭でない記載の釈明」を目的とするものである。
　
　イ　上記訂正事項４は、願書に添付した明細書の【００１８】、【００２７】及び【００２９】の記載からして、願書に添付した明細書に記載された事項の範囲内でするものであり、実質上特許請求の範囲を拡張し、又は変更するものでもないことから、特許法第１２０条の５第９項で準用する同法第１２６条第５項及び第６項の規定に適合する。　  
 　  　 
（５）訂正事項５
　ア　訂正事項５は、訂正事項１ないし訂正事項３により訂正された特許請求の範囲の記載との整合を図るために、願書に添付した明細書の【０００８】の記載を訂正するものであるから、特許法第１２０条の５第２項ただし書き第３号に規定する「明瞭でない記載の釈明」を目的とするものである。
　     　
　イ　上記訂正事項４は、願書に添付した明細書の【００１０】の記載からして、願書に添付した明細書に記載された事項の範囲内でするものであり、実質上特許請求の範囲を拡張し、又は変更するものでもないことから、特許法第１２０条の５第９項で準用する同法第１２６条第５項及び第６項の規定に適合する。　  　 
　
（６）訂正事項６
　ア　訂正事項６は、訂正事項１ないし訂正事項３により訂正された特許請求の範囲の記載との整合を図るために、願書に添付した明細書の【００１０】の記載を訂正するものであるから、特許法第１２０条の５第２項ただし書き第３号に規定する「明瞭でない記載の釈明」を目的とするものである。
　     　
　イ　上記訂正事項６は、願書に添付した明細書の【００１８】の記載からして、願書に添付した明細書に記載された事項の範囲内でするものであり、実質上特許請求の範囲を拡張し、又は変更するものでもないことから、特許法第１２０条の５第９項で準用する同法第１２６条第５項及び第６項の規定に適合する。　  
 　  　
（７）一群の請求項及び明細書の訂正
　訂正前の請求項１ないし３は、訂正前の請求項２及び請求項３が、請求項１の記載を引用し、訂正事項１により記載が訂正される請求項１に連動して訂正されるものであり、訂正前において「一群の請求項」に該当するものであるから、本件訂正は、一群の請求項ごとになされたものであって、特許法第１２０条の５第４項の規定に適合する。　
　また、訂正事項４ないし訂正事項６は、願書に添付した明細書を訂正するものであって、該訂正事項４ないし訂正事項６に係る訂正の請求は、当該明細書の訂正に係る、訂正前の請求項１ないし３のすべてについて行われたものである。
　よって、訂正事項４ないし訂正事項６は、特許法第１２０条の５第９項で準用する同法第１２６条第４項の規定に適合する。　  
　　
（８）小括  
　以上のとおりであるから、本件訂正請求は、特許法第１２０条の５第２項第１号及び第３号に掲げる事項を目的とするものであり、かつ、同条第４項、及び特許法第１２０条の５第９項で準用する同法第１２６条第４項ないし第６項の規定に適合する。　   
 　　 　 
４　訂正の適否のまとめ  
　本件訂正請求は適法であることから、訂正明細書及び訂正特許請求の範囲のとおり、訂正後の請求項［１−３］について訂正することを認める。  
 　  
第３　本件発明  
　本件訂正請求により訂正された訂正後の請求項１ないし３に係る発明（以下「本件訂正発明１」ないし「本件訂正発明３」という。）は、訂正特許請求の範囲の請求項１ないし３に記載された事項により特定されるとおりのものである（訂正箇所に、下線を付した。）。  
 　　  
　「【請求項１】
　光ファイバを収容することができるハウジングを備えた光電気複合型コネクタであって、
　前記ハウジング内のスペースを上下に仕切る
基板
　前記光ファイバは、前記ハウジングの前後方向における一の側において前記ハウジング内に取り込まれるようになっており、
　前記
基板
基板
　前記一のスペースに収容された、前記光ファイバの少なくとも一部と、前記他のスペースに収容された、前記光ファイバの他の少なくとも一部が、前記ハウジングの左右側の内壁と前記
基板
　前記光電気複合型コネクタは更に、
　　前記光ファイバの一端に接続された光電気変換モジュールと、
　　前記
基板
前記光電気変換モジュールを着脱自在に嵌合させることができ且つ
を備え
、前記コネクタは、前記基板に固定されたレセプタクルハウジングと、前記基板に固定されたレセプタクルハウジングに設置され前記光電変換モジュールと前記接続コネクタが嵌合された際に前記光電変換モジュール側の対応端子と電気的に接続され得るレセプタクル端子を有する
【請求項２】
　前記光ファイバの少なくとも一部が、前記一のスペースに設けられた巻付け部に巻き付けられている請求項１に記載の光電気複合型コネクタ。
【請求項３】
　前記接続コネクタは、前記光ファイバの他の少なくとも一部よりも、前記一の側に近い側に配置されている請求項１又は２に記載の光電気複合型コネクタ。」　
　
第４　特許異議の申立てについて　
１　取消理由の概要  
　当審において、訂正前の請求項１ないし３に係る発明の特許に対して通知した取消理由の概要は、次のとおりである。  
 　  
　「【理由１】  
　本件の請求項１及び請求項３に係る発明は、その出願前日本国内または外国において頒布された下記の刊行物（甲第１号証）に記載された発明であるから、本件の請求項１及び請求項３に係る発明の特許は、特許法第２９条第１項第３号の規定に違反してなされたものであり、取り消すべきものである。　  
 　  
【理由２】  
　本件の請求項１ないし請求項３に係る発明は、その出願前日本国内または外国において頒布された下記の刊行物（甲第１、４ないし９号証）に記載された発明又は電気通信回線を通じて公衆に利用可能となった発明に基いて、その出願前にその発明の属する技術の分野における通常の知識を有する者が容易に発明をすることができたものであるから、本件の請求項１ないし請求項３に係る発明の特許は、特許法第２９条第２項の規定に違反してなされたものであり、取り消すべきものである。　 
 　  
　甲第１号証：特開２０１３−７３１００号公報  
　甲第４号証：特開２０１３−１０１４０８号公報  
　甲第５号証：特開２００６−３０８６８号公報　  
　甲第６号証：特開平４−２３０９７８号公報  
　甲第７号証：特開２０００−１９８６０３号公報  
　甲第８号証：米国特許出願公開２０１１／０２１１７９８号明細書  
　甲第９号証：特開２００４−６３９０９号公報  
 　 　  
　なお、甲第２号証（特開２００１−２４４００３号公報）及び甲第３号証（特開２００１−２２９９９９号公報）は、「ピンヘッダ」が、基板を他の部材と電気的に接続するためのコネクタであることを示すための文献である。
　　　　
２　甲各号証の記載  
（１）甲第１号証には、以下の記載がある（なお、下線は、当審で付したものである。以下同じ。）。 　  
 　　　　  
　ア　「【請求項１】 
　光信号を伝送するための光ファイバを有するケーブルと、 
　前記光ファイバの端面と光学的に結合された光電変換部を搭載した基板を収容するコネクタと、を備えるコネクタ付きケーブルであって、 
　前記コネクタから延び出る前記ケーブルの方向を前後方向とし、前記コネクタから見て前記ケーブルの側を後とし、逆側を前とするとともに、前記基板から見て前記光電変換部の側を上とし、逆側を下としたとき、 
　前記コネクタの内部において、前記光ファイバの前記前後方向の向きを変えて前記光ファイバをＵ字状に湾曲させた湾曲部が少なくとも３つ形成されているとともに、前側の２つの湾曲部の一方が前記基板の下側に位置し、他方が前記基板の上側に位置するように、前記光ファイバが配線されている 
 ことを特徴とするコネクタ付きケーブル。 
【請求項２】 
　請求項１に記載のコネクタ付きケーブルであって、 
　前記基板の縁に凹所が形成されており、 
　前記コネクタの内面と前記凹所との間の隙間を前記光ファイバが通過することによって、前記基板の下側と上側の配線を連絡させている 
　ことを特徴とするコネクタ付きケーブル。」　　　 
 　 
　イ　「【００２１】 
　＝＝＝全体構成＝＝＝ 
　図１は、本実施形態のコネクタ付きケーブル１の全体斜視図である。図２は、本実施形態のコネクタ付きケーブル１の平面図及び側面図である。 
【００２２】 
　コネクタ付きケーブル１は、複合ケーブル２と、複合ケーブル２の両端に設けられた２つのコネクタから構成されている。本実施形態のコネクタ付きケーブル１は、カメラリンクインターフェースに適合する構成になっており、一方のコネクタはカメラ側コネクタ１０（送信側コネクタ）となり、他方のコネクタはグラバ側コネクタ１１０（受信側コネクタ）となる。カメラ側コネクタ１０及びグラバ側コネクタ１１０は、それぞれ２６ピンコネクタ端子を有する。 
【００２３】 
　……　 
【００２５】 
　複合ケーブル２は、１本の光ファイバ３と、７本の差動信号線４と、２本の電源線６とを備えている。… 
【００２６】 
　…… 
【００２７】 
　カメラ側コネクタ１０は、発光部４１と、駆動部４２と、ＬＶＤＳシリアライザ２１と、カメラ側ＭＣＵ２２とを備えている。  
　発光部４１は、ＬＤ（Laser Diode：レーザダイオード）である。本実施形態では、発光部４１として、基板に垂直な光を出射するＶＣＳＥＬ（Vertical Cavity Surface Emitting Laser：垂直共振器面発光レーザ）が採用されている。発光部４１は、駆動部４２から出力されたバイアス電流と変調電流との和である電流信号によって駆動され、光信号を光ファイバ３に出力する。  
【００２８】 
　…… 
【００３０】 
　ところで、カメラ側コネクタ１０及びグラバ側コネクタ１１０が図４に示した機能を果たすためには、コネクタ内部の基板に光ファイバ３とメタルケーブル（差動信号線４、電源線６）の両方を接続する必要がある。本実施形態では、光ファイバ３とメタルケーブルのそれぞれの接続作業を容易にするため、メタルケーブルが接続される親基板とは別に、光ファイバ３を接続するための子基板を用意している。そして、光ファイバ３の接続後の子基板を、メタルケーブルの接続後の親基板に搭載（接続）している。  
 なお、カメラ側コネクタ１０の子基板には、光電変換部として発光部４１が実装されている。また、グラバ側コネクタ１１０の子基板には、光電変換部として受光部１４１が実装されている。」 
 　 
　ウ　「【００３１】 
　＝＝＝カメラ側コネクタ１０＝＝＝　 
　＜構成＞ 
　図５は、カメラ側コネクタ１０の分解斜視図である。カメラ側コネクタ１０は、ハウジング１１と、端末部１２とを備える。 
【００３２】 
　…… 
【００３５】 
　＜親基板２０の構成＞ 
　図６は、親基板２０の斜視図である。 
【００３６】 
　…… 
【００３７】 
　親基板２０の右縁には、凹所２４が形成されている。親基板２０がハウジング１１に収納されると、親基板２０の左右の縁とハウジング１１の内面との間には殆ど隙間が無い状態になるが、凹所２４では、ハウジング１１の内面との間に隙間が形成される。この隙間に光ファイバ３が配線されることによって、親基板２０の上下両側で光ファイバ３の余長を確保することが可能になる（光ファイバ３の配線については後述する）。 
【００３８】 
　親基板２０の右側には、２ピンヘッダ用の２個のスルーホール３３が前後方向に並んで形成されている。この２個のスルーホールは、親基板２０の右縁から所定長さだけ離れて形成されており、親基板２０がハウジング１１のケース１１Ａに収納されたときに、２ピンヘッダ６１とハウジング１１の内面との間に光ファイバ３を配線することを可能にしている。　 
【００４０】 
　親基板２０には、４ピンヘッダ用の４個のスルーホール３５と、複合ケーブル２の電源線６を半田付けするための２個のスルーホール３６とが形成されている。電源線用のスルーホール３６は、端子部５２を接続するための接続部２５に最も近いスルーホールである。これは、親基板２０上での電源配線パターンを極力減らすためである。電源配線パターンを減らすことにより、信号パターンとのクリアランスを考慮する箇所が減り、基板の小型化を図ることが可能になる。 
【００４１】 
　＜子基板４０の構成＞ 
　図７は、子基板４０の周辺を斜め上から見た斜視図である。子基板４０には、主に光学部品（発光部４１及びその駆動部４２（図７では不図示））が搭載されている。そして、子基板４０に搭載された発光部４１は、光ファイバ３の端面に光学的に結合されている。 
【００４２】 
　子基板４０は、２ピンヘッダ６１、１０ピンヘッダ６２及び４ピンヘッダ６３を介して、親基板２０の上側に搭載される。このため、子基板４０にも、２ピンヘッダ用スルーホールと、１０ピンヘッダ用スルーホールと、４ピンヘッダ用スルーホールとが形成されている。
【００４３】
　……   
【００５１】
　＜光ファイバ３の配線＞
　次に、光ファイバ３の配線について説明する。なお、光ファイバ３は、曲げ半径を許容曲げ半径よりも大きく設定しつつ、狭いコネクタ内（ハウジング１１内）に収容する必要がある。
【００５２】
　……  
【００５６】
　光ファイバ３の下側直線部３Ｂは、１０ピンヘッダ６２及び電源線６よりも外側（左側）に配線されている（図１１、図１２Ａ参照）。
これにより、下側直線部３Ｂは、ハウジング１１と１０ピンヘッダ６２及び電源線６との間で左右方向に拘束されて、ハウジング１１内での動きが制限される
【００５７】
　光ファイバ３の第１上側直線部３Ｅは、２ピンヘッダ６１よりも外側（右側）に配線されている（図７、図９、図１０、図１２Ｂ参照）。
これにより、第１上側直線部３Ｅは、ハウジング１１と２ピンヘッダ６１との間で左右方向に拘束される。更に、第１上側直線部３Ｅは、親基板２０と子基板４０との間に配線されることによって、上下方向にも拘束される
第１上側直線部３Ｅは、左右方向及び上下方向の動きが制限されている
【００５８】　
　光ファイバ３の第２上側直線部３Ｇは、１０ピンヘッダ６２よりも外側（左側）に配線されている（図１０参照）。これにより、第２上側直線部３Ｇは、
ハウジング１１と１０ピンヘッダ６２との間で左右方向に拘束される
親基板２０と子基板４０との間に配線されることによって、上下方向にも拘束される
したがって、第２上側直線部３Ｇは、左右方向及び上下方向の動きが制限されている
【００５９】
　第２上側直線部３Ｇは、第１上側直線部３Ｅと比べて、左右方向及び上下方向に拘束される部分が長いため、ハウジング１１内で動き難くなる。つまり、第１上側直線部３Ｅよりも光ファイバ３の端の方の第２上側直線部３Ｇが動き難い構成になっている。
これにより、ハウジング１１内で光ファイバ３の端が動くことによって光結合部４３が損傷することを抑制できる
　なお、光結合部４３の損傷を抑制するために、光ファイバ３の端に近い第２上側直線部３Ｇをできるだけ長くするため（拘束される部分を長くするため）、後側湾曲部３Ｆを親基板２０の上側（子基板４０が搭載される側）に配置させている。また、後側湾曲部３Ｆを親基板２０の上側に配置することを実現させるために、第２上側直線部３Ｇとは左右方向の逆側（右側）に移行部３Ｄ（及び親基板２０の凹所２４）を配置させている。」
　　　　 
　エ　「【０１１０】
　＜親基板と子基板の接続（光ファイバ３の配線）＞
　次に、親基板２０と子基板４０とを接続する（親基板１２０と子基板１４０も接続する）。このとき、光ファイバ３の配線も行われる。
【０１１１】
　……
【０１１２】
　……
親基板２０と子基板４０との間で光ファイバ３が挟まれることによって、光ファイバ３の上下方向の動きを拘束できる
【０１１３】
　本実施形態では、親基板２０と子基板４０とが分離しているため、上記のように光ファイバを配線することが容易である。
【０１１４】
　……
【０１１５】
　
親基板２０に子基板４０を搭載した後、作業者は、２ピンヘッダ６１、１０ピンヘッダ６２及び４ピンヘッダ６３の各ピンを半田付けすることによって親基板２０と子基板４０とを電気的に接続し、端末部１２を完成させる
　
　オ　「【０１１７】 
　＝＝＝変形例＝＝＝ 
　＜第１変形例：光ファイバ３の周回数を変更した例＞ 
　前述の実施形態では、光ファイバ３がコネクタ内をおよそ２周回されて余長処理されており、コネクタ内に湾曲部が３箇所あった。但し、コネクタ内の光ファイバ３の余長処理は、これに限られるものではない。光ファイバ３がコネクタ内において３回以上巻き回されて余長処理されていても良い。 
【０１１８】 
　図２０は、第１変形例のカメラ側コネクタ１０の端末部１２を斜め下から見た斜視図である。なお、親基板２０の上側の構成及び配線は、前述の実施形態と同様なので、図示を省略する。 
【０１１９】 
　……　 
【０１２１】 
　なお、第１変形例のように、ハウジング１１内において光ファイバ３を３周回以上させて余長処理する場合には、親基板２０の前上側には１つの湾曲部だけが配置されることが望ましい。これにより、光結合部４３のある親基板２０の上側では、光ファイバ３が重ならずに済み、光ファイバ３がハウジング１１内で動きにくくなり、光結合部４３の損傷を抑制できる。この場合、親基板２０の下側では湾曲部が上下に重なるため、光ファイバ３が比較的動きやすい状態になるが、光結合部４３への影響が少ないため、許容される。」　 
 　 
　カ　図５（カメラ側コネクタ）は、以下のものである。 
 　 
　キ　図６（親基板２０）は、以下のものである。 
   　 
　ク　図７（子基板４０）は、以下のものである。 
  
　ケ　図２０（斜め下から見た斜視図）は、以下のものである。 
 　　　 
（２）甲第１号証に記載された発明 
　ア　上記（１）ア及びイの記載からして、甲第１号証には、 
 　「メタルケーブル及び光ファイバを有する複合ケーブルの、前記メタルケーブが接続される親基板と、前記光ファイバが接続される発光部が実装された子基板を収容するカメラ側コネクタであって、 
　前記コネクタから延び出る前記ケーブルの方向を前後方向とし、前記コネクタから見て前記ケーブルの側を後とし、逆側を前としたとき、 
　前記コネクタの内部において、前記光ファイバの前記前後方向の向きを変えて前記光ファイバをＵ字状に湾曲させた湾曲部が少なくとも３つ形成されているとともに、前側の２つの湾曲部の一方が前記親基板の下側に位置し、他方が前記親基板の上側に位置するように、前記光ファイバが配線されており、 
　前記親基板の縁に凹所が形成されており、 
　前記コネクタの内面と前記凹所との間の隙間を前記光ファイバが通過することによって、前記親基板の下側と上側の配線を連絡させている、カメラ側コネクタ。」が記載されているものと認められる。　 
 　 
　イ　上記（１）ウ及びエの記載を踏まえて、図５ないし図７を見ると、以下のことが理解できる。 
（ア）上記アの「カメラ側コネクタ」は、ハウジングを備えていること。 
（イ）上記アの「子基板」には、具体的には「レーザーダイオード及びその駆動部」が搭載されていること。　 
（ウ）上記アの「凹所」は、基板の片側の略中央の縁に前後方向に延びる凹所として形成されていること。 
（エ）上記アの「親基板」には、ピンヘッダ用の複数のスルーホールが設けられ、上記アの「子基板４０」は該ピンヘッダを介して、親基板の上側に搭載され、各ピンを半田付けすることによって親基板と子基板は電気的に接続されていること。　 
（オ）上記アの「コネクタの内面と前記凹所との間の隙間」は、ハウジングの内面と親基板の凹所との間の隙間であること。 
（カ）複数のピンヘッダは、親基板の凹所の側方領域に設けられていること。 
 　 
　ウ　上記（１）オの記載を踏まえて、図２０を見ると、以下のことが理解できる。 
　上記アの「コネクタの内部において、…前記光ファイバが配線されている」とは、具体的には、 
　「親基板の前後の下側に湾曲部が位置し、前記親基板の前の上側に１つだけ湾曲部が位置するように、前記光ファイバが配線され、前記親基板の下側で湾曲部が上下に重なるように配線され」たものであってもよいこと。 
 　　　　　　  
　エ　以上のことから、甲第１号証には、次の発明（以下「甲１発明」という。）が記載されているものと認められる。　 
 　 
　「メタルケーブル及び光ファイバを有する複合ケーブルの、前記メタルケーブが接続される親基板と、前記光ファイバが接続されるレーザーダイオード及びその駆動部を搭載した子基板を収容するハウジングを備えたカメラ側コネクタであって、 
　前記親基板には、ピンヘッダ用の複数のスルーホールが設けられ、前記子基板は該ピンヘッダを介して、親基板の上側に搭載され、各ピンを半田付けすることによって親基板と子基板は電気的に接続されており、　 
　前記コネクタから延び出る前記ケーブルの方向を前後方向とし、前記コネクタから見て前記ケーブルの側を後とし、逆側を前としたとき、 
　前記コネクタの内部において、前記光ファイバの前記前後方向の向きを変えて前記光ファイバをＵ字状に湾曲させた湾曲部が少なくとも３つ形成されているとともに、前記親基板の前後の下側に湾曲部が位置し、前記親基板の前の上側に１つだけ湾曲部が位置するように、前記光ファイバが配線され、前記親基板の下側で湾曲部が上下に重なるように配線されており、 
　前記親基板の片側の略中央の縁に前後方向に延びる凹所が形成されており、 
　前記複数のピンヘッダは、前記親基板の凹所の側方領域に設けられており、 
　前記ハウジングの内面と親基板の凹所との間の隙間を前記光ファイバが通過することによって、前記親基板の下側と上側の配線を連絡させている、カメラ側コネクタ。」 
 　 
３　当審の判断  
（１）本件訂正発明１について
　ア　対比
（ア）甲１発明の「光ファイバ」、「ハウジング」及び「親基板」は、それぞれ、本件訂正発明１の「光ファイバ」、「ハウジング」及び「ハウジング内のスペースを上下に仕切る基板」に相当する。　 
 　 　 
（イ）甲１発明の「カメラ側コネクタ」は、「メタルケーブル及び光ファイバを有する複合ケーブル」を収容するから、本件訂正発明１の「光ファイバを収容することができるハウジングを備えた光電気複合型コネクタ」に相当する。　 
 　　 
（ウ）甲１発明においては、コネクタから延び出るケーブルの方向を前後方向としたとき、コネクタから見てケーブルの側が「後」であるから、該「後」は、本件訂正発明１の「一の側」に相当する。　 
 　 
（エ）してみると、本件訂正発明１と甲１発明とは、 
　「光ファイバを収容することができるハウジングを備えた光電気複合型コネクタであって、 
　前記ハウジング内のスペースを上下に仕切る基板を有し、 
　前記光ファイバは、前記ハウジングの前後方向における一の側において前記ハウジング内に取り込まれるようになって」いる点で一致する。　 
 　 
（オ）甲１発明の「カメラ側コネクタ」の内部において、親基板の前後の下側に「湾曲部」が位置し、親基板の前の上側に「１つだけ湾曲部」が位置することから、「親基板」は、ハウジング内を上下に仕切る部材であるといえる。 
　してみると、本件訂正発明１と甲１発明とは、 
　「基板によって仕切られたハウジング内の一のスペース（下側）に、前記ハウジングの前記一の側（後）に位置する光ファイバの少なくとも一部が湾曲された状態で収容され、 
　前記基板によって仕切られた前記ハウジング内の他のスペース（上側）に、前記一のスペース（下側）に収容された少なくとも一部以外の前記光ファイバの湾曲部の一部であって、前記ハウジング内の一のスペース（下側）に収容された前記光ファイバの湾曲部に対して前記ハウジングの前記一の側（後）とは前記ハウジングの前後方向において反対側（前）に位置する前記光ファイバの他の少なくとも一部が収容されて」いる点で一致する。 
 　 
（カ）甲１発明においては、「ハウジングの内面と親基板の凹所との間の隙間を光ファイバが通過することによって、親基板の下側と上側の配線を連絡させている」から、 
　本件訂正発明１と甲１発明とは、 
　「一のスペース（下側）に収容された、前記光ファイバの少なくとも一部と、前記他のスペース（上側）に収容された、前記光ファイバの他の少なくとも一部が、前記ハウジングの左右側の内壁と前記基板の左右側の縁との間に形成された隙間を通じて連続して」いる点で一致する。 
 　 
（キ）甲１発明の「光ファイバが接続されるレーザーダイオード及びその駆動部を有する子基板」は、「レーザーダイオード」と「駆動部」とを備えることで、送信機能を有する部品（単位）として取り扱えることから、本件訂正発明１の「光電気変換モジュール」に相当する。　 
　してみると、本件訂正発明１と甲１発明とは、 
　「光電気複合型コネクタは更に、光ファイバの一端に接続された光電気変換モジュール」を備える点で一致する。　 
 　　 
（ク）本訂正件発明１の「接続コネクタ」とは、本件特許明細書の【００２９】の「これに対し、接続コネクタ５４は、形状は多少特種なものであるものの、機能は一般的な電気コネクタと全く同じである。……光電気変換モジュール１４が嵌合部６４に嵌め込まれた際に、光電気変換モジュール１４側の対応端子７４と電気的に接続され得る。」等の記載によれば、光電気変換モジュールと電気的に接続される電気コネクタであると解される。 
　一方、甲１発明の「子基板」は、「複数のピンヘッダ」を介して、親基板の上側に搭載されており、該「複数のピンヘッダ」が、電気コネクタであることは当業者にとって明らかである。 
　また、該「複数のピンヘッダ」は、「親基板の片側の略中央の縁に前後方向に延びる凹所」の側方領域に設けられていることから、ハウジングの前後方向における「略中央」、つまり、凹所の近傍に配置されているものと認められる。 
　そして、本件特許明細書には、「隙間に対応する位置」についての詳細な定義はなく、図３、５、９、１０等からみて、「隙間の近傍」を包含するものと解される。　 
　してみると、本件訂正発明１と甲１発明とは、「基板の他のスペース側であってハウジングの前後方向において隙間に対応する位置に設けられた、光電気変換モジュールと電気的に接続され得る接続コネクタ」を備える点で一致する。　 　 
 　　 　 
（ケ）以上のことから、本件訂正発明１と甲１発明とは、以下の点で一致する。
　＜一致点＞  
　「光ファイバを収容することができるハウジングを備えた光電気複合型コネクタであって、 
　前記ハウジング内のスペースを上下に仕切る基板を有し、 
　前記光ファイバは、前記ハウジングの前後方向における一の側において前記ハウジング内に取り込まれるようになっており、 
　前記基板によって仕切られた前記ハウジング内の一のスペースに、前記ハウジングの前記一の側に位置する前記光ファイバの少なくとも一部が湾曲された状態で収容され、前記基板によって仕切られた前記ハウジング内の他のスペースに、前記一のスペースに収容された少なくとも一部以外の前記光ファイバの湾曲部の一部であって、前記ハウジング内の一のスペースに収容された前記光ファイバの湾曲部に対して前記ハウジングの前記一の側とは前記ハウジングの前後方向において反対側に位置する前記光ファイバの他の少なくとも一部が収容されており、 
　前記一のスペースに収容された、前記光ファイバの少なくとも一部と、前記他のスペースに収容された、前記光ファイバの他の少なくとも一部が、前記ハウジングの左右側の内壁と前記基板の左右側の縁との間に形成された隙間を通じて連続しており、 
　前記光電気複合型コネクタは更に、 
　前記光ファイバの一端に接続された光電気変換モジュールと、 
　前記基板の前記他のスペース側であって前記ハウジングの前後方向において前記隙間に対応する位置に設けられた、前記光電気変換モジュールと電気的に接続され得る接続コネクタと、 
を備える、光電気複合型コネクタ。」 
 　 
（コ）一方、本件訂正発明１と甲１発明とは、以下の点で相違する。　
　＜相違点＞
　接続コネクタに関して、
　本件訂正発明１は、「光電気変換モジュールを着脱自在に嵌合させることができ」、「基板に固定されたレセプタクルハウジングと、基板に固定されたレセプタクルハウジングに設置され光電変換モジュールと接続コネクタが嵌合された際に光電変換モジュール側の対応端子と電気的に接続され得るレセプタクル端子を有する」のに対して、
　甲１発明は、そのようなものではない点。
  　
　イ　判断
　上記＜相違点＞について検討する。
（ア）甲１発明においては、親基板と子基板（光電気変換モジュール）は、各ピンを半田付けすることによって電気的に接続されているから、甲１発明の「子基板（光電気変換モジュール）」は、「複数のピンヘッダ（接続コネクタ）」に対して着脱自在に接続されるものではなく、甲第１号証の他の記載を見ても、「子基板（光電気変換モジュール）」を着脱自在にすることを示唆する記載はない。
　　
（イ）一方、甲第１号証の記載（摘記ウ及びエを参照。）によれば、甲１発明の「複数のピンヘッダ（接続コネクタ）」は、光ファイバの左右方向の動きを拘束するという効果を奏することから、特許異議申立人が主張するように、「『基板に固定されたレセプタクルハウジングと、基板に固定されたレセプタクルハウジングに設置され光電変換モジュールと接続コネクタが嵌合された際に光電変換モジュール側の対応端子と電気的に接続され得るレセプタクル端子を有する』『接続コネクタ』」が、仮に、甲第４号証等に記載されているように、本件特許出願日時点で公知ないし周知であるとしても、甲１発明において、「複数のピンヘッダ（接続コネクタ）」に代えて、当該接続コネクタを採用する動機がない。　
　
（ウ）以上の検討によれば、本件訂正発明１は、甲１発明であるとはいえない。また、本件訂正発明１は、当業者が甲第１号証ないし甲第９号証に記載された発明に基づいて容易に発明をすることができたものであるということもできない。 
 　 
（２）本件訂正発明２及び本件訂正発明３について
　本件訂正発明２及び本件訂正発明３は、本件訂正発明１の発明特定事項をすべて備えるものであるから、本件訂正発明２及び本件訂正発明３は、甲１発明であるとはいえない。
　また、本件訂正発明２及び本件訂正発明３は、本件訂正発明１の発明特定事項をすべて備えるものであるから、当業者が甲第１号証ないし甲第９号証に記載された発明に基づいて容易に発明をすることができたものであるということもできない。  
　
（３）平成２９年１２月１５日提出の意見書（特許異議申立人）
　特許異議申立人は、意見書において、以下のように主張することから、この点について検討する。　
　
　「よって、甲１発明において、『ピンヘッダ』や『子基板』を用いて上記（ａ）〜（ｃ）を実現することは不可欠なものではなく、甲１発明の『光ファイバが接続されるレーザーダイオード及びその駆動部を搭載した子基板』を甲第４号証の『レセプタクルコネクタ２０』や甲第５号証の『レセプタクル側コネクタ４０』に
置き換えると共に
置き換えても
　
　しかしながら、甲第１号証の記載（摘記ウ及びエを参照。）によれば、甲１発明の「複数のピンヘッダ（接続コネクタ）」及び「子基板（光電気変換モジュール）」は、光ファイバの動きを拘束するという効果を奏するものであるから、あえて、甲第４号証の「レセプタクルコネクタ２０」や「プラグコネクタ３０」、または、甲第５号証の「レセプタクル側コネクタ４０」や「プラグ側コネクタ２０」に置き換える動機がない。　
      　
（４）まとめ 　 
　本件訂正発明１ないし本件訂正発明３に係る特許は、取消理由通知に記載した理由、つまり、特許異議申立書に記載された特許異議申立理由によっては、取り消すことができない。  
 　　　 
第５　むすび  
　本件訂正発明１ないし本件訂正発明３に係る特許は、特許異議申立書に記載された特許異議申立理由によっては、取り消すことができない。  
　他に本件訂正発明１ないし本件訂正発明３に係る特許を取り消すべき理由を発見しない。  
　よって、結論のとおり決定する。  
【異議決定日】
平成３０年１月１９日（２０１８．１．１９）
【訂正の要旨】
審決（決定）の【理由】欄参照。
（５４）【発明の名称】
光電気複合型コネクタ
　【技術分野】
　【０００１】
　本発明は、光電気複合型コネクタ、特に、光ファイバの余長部分を収容することができるハウジングを備えた光電気複合型コネクタに関する。
　【背景技術】
　【０００２】
　光電気複合型コネクタのような光コネクタにおいて、光ファイバは、通常、コネクタ内で十分な余長部分をもって使用される。光ファイバはガラス繊維であることから屈曲に弱く、従って、このような余長部分を設けることにより、光ファイバと機器との間の接続の安定性が確保できるからである。しかしながら、余長部分があまりに長いと、光電気複合型コネクタの内部における配線設計が複雑になってしまうため、余長部分は切除されてしまうのが一般的である。とはいうものの、一旦切除してしまった余長部分を再び戻すことは不可能であるから、使用環境の変化に柔軟に対応可能とするといった意味では、ハウジングに余長部分を収容できるといった特別の事情が存在する場合にはむしろ、積極的に余長部分を確保しておくことが望ましい。上記の特別の事情が存在する場合として、例えば、ハウジングにある程度の大きさを確保する場合がある。光電気複合型コネクタは一般に非常に小さく、これに合わせてハウジングを小さくすると使い勝手が悪くなる。このため、ユーザからの要望等に応じて、ハウジングにある程度の大きさを確保することがあり、このような場合に、光ファイバの余長部分を収容するためのスペースが生まれることがある。
　【０００３】
　図１１に、光ファイバの余長部分を収容することができるハウジングを有した従来の光電気複合型コネクタの一例を示す。図１１の（ａ）は、この従来のコネクタの側断面図、（ｂ）は、その平断面図である。この光電気複合コネクタ１００は、回路基板１０８と、この回路基板１０８の上に設けた副基板１１５上の光電変換部１０９や配線１１７、これら回路基板１０８やその上の各種機器を収容することができるハウジング１１１、更に、外部機器接続用の電気ピン１０５を備える。光電変換部１０９には、光ケーブル１０４から引き出されてハウジング１１１内に湾曲部１１２ｃを有して配線された光ファイバ１０２が光学的に接続されており、ハウジング１１１は、この光電変換部１０９を収容する第１の収容体１１９の他、第２の収容体１２０を有する。光ファイバ１０２は、第１の収容体１１９を経て第２の収容体１２０に導入され、湾曲部１１２ｃでその向きを反転させて光電変換部１０９に向かって配線される。更に、湾曲部１１２ｃを曲げ弾性力に抗して挟んで保持できるように、第２の収容体１２０は、一対の側板部１２０ｄ、１２０ｅを有している。
　【０００４】
　この従来構成では、光ファイバ１０２の余長部分１１３は、回路基板１０８の一方の側、特に、副基板１１５や各種機器が設けられた上側に設けることとされており、その一方で、回路基板１０８の他方の側、即ち、副基板１１５や各種機器が設けられた下側の、比較的大きな空間には、光ファイバ１０２の余長部分１１３は全く配置されていない。尚、回路基板１０８の下側に現れている線は電線１０３を示しているのであって、光ファイバ１０２を示すものではなく、回路基板１０８の下側に、光ファイバは存在しない。
　【先行技術文献】
　【特許文献】
　【０００５】
　【特許文献１】特開２０１２−８８５７１号公報
　【発明の概要】
　【発明が解決しようとする課題】
　【０００６】
　本願発明はこのような従来技術における問題点を解決するためになされたものであり、配線設計を複雑にすることなく、光ファイバの余長部分を収容することができるハウジングを備えた光電気複合型コネクタを提供することを目的とする。また、光電気複合型コネクタの内部空間を有効活用することができる光電気複合型コネクタを提供することを目的とする。
　【課題を解決するための手段】
　【０００７】
　本発明は、光ファイバを収容することができるハウジングを備えた光電気複合型コネクタであって、前記ハウジング内のスペースを上下に仕切る
基板
基板
基板
基板
基板
前記光電気変換モジュールを着脱自在に嵌合させることができ且つ
、前記接続コネクタは、前記基板に固定されたレセプタクルハウジングと、前記基板に固定されたレセプタクルハウジングに設置され前記光電気変換モジュールと前記接続コネクタが嵌合された際に前記光電気変換モジュール側の対応端子と電気的に接続され得るレセプタクル端子を有す
　この構成によれば、
基板
　【０００８】
　上記光電気複合型コネクタにおいて、前記
基板
　基板の向きを、光ファイバの湾曲部が形成する面と並列にすることにより、湾曲部を収容するためのスペースをより小さくすることができ、ハウジングの内部空間を有効活用することができる。
　【０００９】
　【００１０】
　前記隙間は、前記
基板
　このような側に隙間を設けることにより、光電気複合型コネクタと相手コネクタとの嵌合を妨げることなく、一のスペースと他のスペースとの間で、光ファイバを連続した状態とすることができる。
　【００１１】
　上記光電気複合型コネクタにおいて、前記光ファイバの少なくとも一部が、前記一のスペースに設けられた巻付け部に巻き付けられていてもよい。
　巻付け部を設けることにより、光ファイバを容易に収容することができる。
　また、上記光電気複合型コネクタにおいて、前記接続コネクタは、前記光ファイバの他の少なくとも一部よりも、前記一の側に近い側に配置されていてもよい。
　【発明の効果】
　【００１２】
　本願発明によれば、配線設計を複雑にすることなく、光ファイバの余長部分を収容することができるハウジングを備えた光電気複合型コネクタが提供される。また、光電気複合型コネクタの内部空間を有効活用することができる光電気複合型コネクタが提供される。
　【図面の簡単な説明】
　【００１３】
　【図１】光ケーブルが接続された本発明による光電気複合コネクタの斜視図である。
　【図２】光電気複合コネクタと相手側コネクタを示す斜視図と中心線断面図である。
　【図３】図１の光電気複合コネクタから蓋を取り除いた状態を示す斜視図である。
　【図４】図１のＡ−Ａ線断面図である。
　【図５】図１の光電気複合コネクタの横断面図である。
　【図６】図１のＢ−Ｂ線断面図である。
　【図７】図３の光電気複合コネクタから更に基板を取り除いた状態を示す斜視図である。
　【図８】固定金具が横向きに固定された光電気複合型コネクタの斜視図である。
　【図９】光電気複合コネクタの組立方法を説明する図である。
　【図１０】光電気複合コネクタの組立方法を説明する図である。
　【図１１】余長部分を収容することができるハウジングを有した従来の光電気複合型コネクタの一例を示す図である。
　【発明を実施するための形態】
　【００１４】
　添付図面を参照しつつ、本発明の好適な一つの実施形態による光電気複合型コネクタについて説明する。
　【００１５】
　図１に、本発明による光電気複合コネクタ１の斜視図を示し、更に、図２に、この光電気複合コネクタ１を接続相手である電気コネクタ２とともに、斜視図（図２の（ａ））と中心線断面図（図２の（ｂ））で示す。光電気複合コネクタ１は、光ケーブル１０の一端に固定した状態で使用され、光信号を処理することができるが、光電気複合コネクタ１の接続相手は、光コネクタではなく電気コネクタである。電気コネクタ２は、基板３に設置した状態で使用され、コネクタ２との実際の嵌合時には、光電気複合型コネクタ１の先端側に一部突出させた状態で設けたコネクタ嵌合部４６が、基板３に直立した電気コネクタ２の嵌合穴４に挿入される。光信号と電気信号の変換は、光電気複合型コネクタ１で行う。光ケーブル１０を通じて光電気複合コネクタ１で受信された光信号は、光電気複合コネクタ１において電気信号に変換された後に、電気コネクタ２へ送信され、或いは、電気コネクタ２を通じて光電気複合コネクタ１で受信された電気信号は、光電気複合コネクタ１において光信号に変換された後に、光ケーブル１０へ送信される。
　【００１６】
　図３に、図１の光電気複合コネクタ１から蓋４５を取り除いた状態を斜視図で示し、更に、図４に、図１のＡ−Ａ線断面図を、図５に、図１の光電気複合コネクタ１の横断面図を、図６に、図１のＢ−Ｂ線断面図を、それぞれ示す。蓋４５は、光電気複合コネクタ１と電気コネクタ２との嵌合方向（図３の矢印「ア」方向）に沿って、光電気複合コネクタ１に対してスライド移動させることによって、光電気複合コネクタ１のハウジング２０に着脱自在に取り付けることができる。ハウジング２０に取り付けられた際、蓋４５の一部は、上述したコネクタ嵌合部４６の一部を形成し得る。また、蓋４５を光電気複合コネクタ１に対してスライド移動させたとき、基板５０の先端部５１は、コネクタ嵌合部４６に挿入され、その下側に収容空間５８を残した状態で、コネクタ嵌合部４６の天井側内壁に位置決めされる。基板５０の先端部５１裏面には、複数の電気パッド５７（便宜上、点線で示す）が所定ピッチで一列に配列されている。図面上明らかではないが、これらの電気パッド５７は、光ケーブル１０の各光ファイバ１１に対応して設けられており、光ファイバ１１の光信号に対応する電気信号の伝達を行う。光電気複合コネクタ１と電気コネクタ２（図２参照）との嵌合時には、光電気複合コネクタ１のコネクタ嵌合部４６が、電気コネクタ２の嵌合穴４（図２の（ｂ）参照）に挿入されるとともに、光電気複合コネクタ１のコネクタ嵌合部４６に設けた収容空間５８に、電気コネクタ２の基部５（図２の（ｂ）参照）が収容される。このとき、基板５０の先端部５１裏面に設けた電気パッド５７（接触部）が、電気コネクタ２に設けた対応する相手側端子６の接点７と電気的に接続され、光電気複合コネクタ１と電気コネクタ２（図２参照）との間の電気通信が可能となる。
　【００１７】
　図４によく示されるように、蓋４５をハウジング２０に取り付けたとき、蓋４５の嵌合側に設けた前側突出部４８と、ハウジング２０の嵌合側に設けた前側突出部２３が対応し、また、蓋４５の光ケーブル１０側に設けた後側突出部４９と、ハウジング２０の嵌合側に設けた後側突出部３９が対応する。これにより、蓋４５をハウジング２０に対して位置決めするとともにハウジング２０の収容空間を閉じる。ハウジング２０からの蓋４５の抜け落ちを防ぐため、図５によく示されるように、蓋４５の外壁にロック突部４７を、ハウジング２０の内壁に対応ロック突部３７を、それぞれ設けて、蓋４５とハウジング２０をロック可能としてある。尚、光コネクタ１における信号状態を確認できるように、図６に示すように、ハウジング２０の外部から一部視認可能な状態で、基板５０の後端側に導光板４０を設けてもよい。導光板４０を通じて外部に光を発するようにして、光電気複合コネクタ１における信号の伝達状態をユーザに知らせることもできる。
　【００１８】
　ハウジング２０内のスペースは、その内部に設置された基板５０によって、上段スペース３３と下段スペース３４に仕切られている。下段スペース３４には、主に、光ケーブル１０から取り出された光ファイバ１１の少なくとも一部（後述する図７乃至１０に示す湾曲部１５）、換言すれば、光ファイバ１１の余長部分が収容され、一方、上段スペース３３には、主に、下段スペース３４に収容された部分（湾曲部１５）以外の、光ファイバ１１の他の一部１７や、光ファイバ１１の一端に接続された光電気変換モジュール１４、更に、基板５０に固定された、光電気変換モジュール１４と接続され得る接続コネクタ５４が収容される。
　【００１９】
　ハウジング２０の内部において、基板５０の中央付近は、ハウジング２０のケーブル抑え部２６の上面に載置され、その後端側５５は、ハウジング２０の基板載置部２４に載置される。基板５０の先端部５１は、既に説明したように、コネクタ嵌合部４６に挿入されて支持される。基板５０の幅方向は、ハウジング２０の基板位置決め突起２５によって規制されるとともに、コネクタ嵌合部４６に、基板５０の先端部５１が挿入、配置されることにより位置決めされるようになっている。
　【００２０】
　図７は、図３の光電気複合コネクタ１から更に基板５０を取り除いた状態を示す斜視図である。光ケーブル１０の光ファイバ取出口は、固定金具１２によってクランプされる。クランプされた固定金具１２は、ハウジング２０に設けた側面視略Ｕ字状の金具保持部２９に上方から挿入されることによってハウジング２０に容易に固定される。金具保持部２９は、１つに限らず、ハウジング２０の複数位置から選択可能な状態で複数設けることができる。使用環境に応じて、適当な位置の金具保持部２９を選択して使用することにより、光ケーブル１０や光ファイバ１１の出口方向を制御し、装置内の配線設計を容易にすることができる。例えば、図７に示した中央位置に設けた金具保持部２９Ａに代えて、図８に示した側面位置に設けた金具保持部２９Ｂ（ここでは、正面から見て右側の金具保持部２９Ｂ）に、固定金具１２を装着することにより、光ケーブル１０や光ファイバ１１をハウジング２０に対して横向きに固定することもできる。
　【００２１】
　図７、８によく示されるように、光ケーブル１０から取り出した光ファイバ１１は、ハウジング２０の光ケーブル１０側に設けた導入口３８から下段スペース３４へ案内される。光ファイバ１１がスムーズに案内されるように、導入口３８の側壁はＲ状としておくのが好ましい。特に、図８に示す例のように、側面位置に設けた金具保持部２９Ｂを利用して固定金具１２が装着された場合には、光ファイバ１１の方向を大きく変更する必要が生じ、この結果、導入口３８の側壁と衝突し易い状態となるが、この場合でも、導入口３８の側壁がＲを形成していれば、光ファイバ１１を下段スペース３４へとスムーズに案内することができる。
　【００２２】
　光ケーブル１０から取り出された光ファイバ１１の少なくとも一部は、下段スペース３４に湾曲された状態で収容される。光ファイバ１１はガラス繊維であるため、急な曲げを形成することはできず、比較的大きな湾曲部を形成した状態で収容させる必要がある。湾曲部１５を設けることにより、光ファイバ１１を、より安全に、且つ、小スペースで、下段スペース３４に収容することができる。
　【００２３】
　収容作業を容易にするため、下段スペース３４に円環状の巻付け部２７を設けてもよい。巻付け部２７の周囲には、更に、基板５０を載置するためにも使用される、略Ｌ字状のケーブル抑え部２６が複数、ここでは３つ設けられている。下段スペース３４に案内した光ファイバ１１は、接続コネクタ５４に対する取付け時の作業しろを十分に確保した状態で、巻付け部２７に巻き付けられ、更に、ケーブル抑え部２６によって、上方から抑えられる。巻付け部２７を利用することにより、湾曲部１５を、よりコンパクトに、且つ、より簡単に、下段スペース３４に配置することができ、更に、ケーブル抑え部２６を利用することにより、湾曲部１５の上段スペース３３側への拡がりを防止することができる。但し、これら巻付け部２７やケーブル抑え部２６を使用することなく、ハウジング２０の内壁２２を利用して、湾曲部１５を形成してもよい。尚、湾曲部１５は、必ずしも、巻き付け部２７に巻き付けられるような長さを必要とするものではなく、例えば、湾曲部１５の弧のほんの一部と接触する程度の長さしか有しないものであっても勿論よい。
　【００２４】
　図７、図８に加えて、図９、図１０、及び図３をも参照して、光電気複合コネクタ１の組立方法を説明する。ここで図９、図１０、及び図３は、図７、図８の状態とした後の、光電気複合コネクタ１の組立工程を段階的に示したものと考えてよい。
　【００２５】
　図７、図８に示すように、光ファイバ１１の湾曲部１５を、ハウジング２０に配置した後、図９に示すように、この湾曲部１５の上部に基板５０を設置する。基板５０が設置されることにより、ハウジング２０内のスペースは、上段スペース３３と下段スペース３４に仕切られ、この結果、湾曲部１５は、下段スペース３４に収容されることになる。このように、基板５０を利用して、ハウジング２０の内部を上段スペース３３と下段スペース３４とに区分し、配線設計と光ファイバの収容部分とを明確に区分けすることにより、配線設計を複雑にすることなく、光ファイバの余長部分を収容することができる。また、基板５０の向きを、光ファイバ１１の湾曲部１５が形成する面１６と並列にすることにより、湾曲部１５を収容するためのスペースをより小さくすることができ、ハウジング２０の内部空間を有効活用することができる。
　【００２６】
　図９に示すように、基板５０によってハウジング２０が上段スペース３３と下段スペース３４に仕切られた後も、下段スペース３４に収容された、光ファイバ１１の湾曲部１５と、上段スペース３３に収容された、光ファイバ１１の一部１７とは、ハウジング２０の内壁２２と基板５０の縁５２との間に形成された隙間５３を通じて連続状態を維持する。本実施形態では、この隙間５３は、仕切部材５０の仕切り方向において、光電気複合コネクタ１と相手コネクタとの嵌合側（光電気複合コネクタ１の先端側）以外の側、例えば、嵌合方向に沿った側に設けられる。仮に、隙間が、光電気複合コネクタ１と相手コネクタとの嵌合側（光電気複合コネクタ１の先端側）に設けられている場合には、ハウジング２０の内部における、光電気複合コネクタ１と相手コネクタとの嵌合側の領域が、光ファイバ１１によって占有されてしまうため、嵌合に支障が生じ、また、これを避けるためにコネクタが大型化するおそれがある。図９に示すように、光電気複合コネクタ１と相手コネクタとの嵌合側以外の側に隙間５３を設けることにより、光電気複合コネクタ１と相手コネクタとの嵌合を妨げることなく、容易に、上段スペース３３と下段スペース３４との間で、光ファイバ１１を連続した状態とすることができる。尚、隙間を嵌合側に設けることは必ずしも許されないというわけではなく、コネクタ嵌合部４６に挿入される基板５０の先端部５１に光ファイバ１１が及ばないのであれば、嵌合側に設けてもよい。
　【００２７】
　その後、図１０に示すように、隙間５３から取り出された光ファイバ１１は、半弧を描くように大きく湾曲させた状態で、光ファイバ１１の一端に接続された光電気変換モジュール１４を利用して、基板５０上の接続コネクタ５４に接続される。これら光電気変換モジュール１４と接続コネクタ５４との間の接続は電気接続である。光信号と電気信号の変換は、光電気変換モジュール１４で行われる。電気接続させるため、光電気変換モジュール１４は、接続コネクタ５４の凹状の嵌合部６４に嵌め込まれる。嵌合部６４に嵌め込まれても、固定されるわけではなく、その後も自由に着脱させることができる。
　【００２８】
　光電気変換モジュール１４は、様々な光電気交換部品を備えることによって、電気・光変換機能（送信機能と捉えることもできる）と、光・電気変換機能（受信機能と捉えることもできる）の双方を有する。例えば、接続コネクタ５４と光電気変換モジュール１４の嵌合時には、光電気変換モジュール１４に設けた光電気変換部品の働きによって、光ケーブル１０を通じて伝達された光信号を電気信号に変換して、接続コネクタ５４や基板５０に伝達し、或いは、基板５０を通じて伝達された電気信号を光信号に変換して、光ケーブル１０に伝達する。
　【００２９】
　これに対し、接続コネクタ５４は、形状は多少特種なものであるものの、機能は一般的な電気コネクタと全く同じである。接続コネクタ５４は、主に、枠状のレセプタクルハウジング６１と、これに設置される複数の端子６２、更に、ハウジング６１の外部を覆うシェル６３を有する。レセプタクルハウジング６１は枠状に形成されており、光電気変換モジュール１４を嵌め込む嵌合部６４（図９参照）を形成している。レセプタクルハウジング６１に圧入固定されたレセプタクル端子６２は、各々、それらの一部において嵌合部６４に突出し、光電気変換モジュール１４が嵌合部６４に嵌め込まれた際に、光電気変換モジュール１４側の対応端子７４と電気的に接続され得る。
　【００３０】
　最後に、図３に示すように、ハウジング２０に、蓋４５をスライド移動させて取り付けることにより、光電気複合コネクタ１の組立完了となる。
　【００３１】
　尚、基板５０に設けた電気パッド５７は、相手側の電気コネクタ２と必ずしも直接接続される必要はなく、電気パッド５７に実装された他の電気コネクタを嵌合部として、これを介して、相手側の電気コネクタ２と電気接続されてもよい。
　【産業上の利用可能性】
　【００３２】
　光ケーブルを接続して使用するタイプの光電気複合型コネクタに幅広く応用することができる。
　【符号の説明】
　【００３３】
１　光電気複合コネクタ
１０　光ケーブル
１１　光ファイバ
１２　固定金具
１４　光電気変換モジュール
１５　湾曲部
１６　面
２０　ハウジング
２２　内壁
２７　巻付け部
３３　上段スペース
３４　下段スペース
５０　基板
５２　縁
５３　隙間
５４　接続コネクタ
（５７）【特許請求の範囲】
　【請求項１】
　光ファイバを収容することができるハウジングを備えた光電気複合型コネクタであって、
　前記ハウジング内のスペースを上下に仕切る
基板
　前記光ファイバは、前記ハウジングの前後方向における一の側において前記ハウジング内に取り込まれるようになっており、
　前記
基板
基板
　前記一のスペースに収容された、前記光ファイバの少なくとも一部と、前記他のスペースに収容された、前記光ファイバの他の少なくとも一部が、前記ハウジングの左右側の内壁と前記
基板
　前記光電気複合型コネクタは更に、
　前記光ファイバの一端に接続された光電気変換モジュールと、
　前記
基板
前記光電気変換モジュールを着脱自在に嵌合させることができ且つ
を備え
、前記接続コネクタは、前記基板に固定されたレセプタクルハウジングと、前記基板に固定されたレセプタクルハウジングに設置され前記光電気変換モジュールと前記接続コネクタが嵌合された際に前記光電気変換モジュール側の対応端子と電気的に接続され得るレセプタクル端子を有す
　【請求項２】
　前記光ファイバの少なくとも一部が、前記一のスペースに設けられた巻付け部に巻き付けられている請求項１に記載の光電気複合型コネクタ。
　【請求項３】
　前記接続コネクタは、前記光ファイバの他の少なくとも一部よりも、前記一の側に近い側に配置されている請求項１又は２に記載の光電気複合型コネクタ。